(57)【要約】【課題】本考案は、回路板への装着が簡単で容易に回路板から取り外しができることを特徴とする太陽光発電装置を提案する。【解決手段】本考案は、太陽光発電装置を提供するものであり、一つの電極が一つの絶縁体部分によって別の一つの電極を包み込むことにより、太陽光発電装置を一つのピンにしている。本考案の太陽光発電装置は、一つの電性を備えた一つの導電層が、一つの絶縁層部分により別の一つの電性を備えた一つの長細い導電体を包み込みことにより、太陽光変換器の二つの電極をそれぞれ導電層及び導電体に電気連結したものである。よって、本考案の太陽光発電装置は一つのピンに変化したものであり、回路板への装着を簡単にし、回路板上からの取り外しを簡単にする。【選択図】図１
0003138028.tif 000002
【実用新案登録請求の範囲】
【請求項１】
一つの導電体と、一つの太陽光変換器と、一つの第一絶縁層と、一つの導電層により構成される太陽光発電装置において、
該導電体は、長細い形状であり、
該太陽光変換器は、該導電体の一端に設け、該太陽光変換器の一つの第一電極は該端に電気接触しており、
該第一絶縁層は、該導電体の該太陽光変換器に近い部分を包み込んでおり、
該導電層は、該第一絶縁層を包み込み、該導電層は、該第一絶縁層によって該導電体と隔離しており、該太陽光変換器の最低一つの第二電極は該導電層と電気連結しており、
その内、該導電体の該第一絶縁層から露出している部分と一つの回路基板を覆っている一つの第一導電層は電気接触しており、該導電層は、該第一導電層を覆っている一つの第二絶縁層によって該第一導電層と隔離されており、該導電層と該第二絶縁層を覆っている一つの第二導電層は電気接触し、該太陽光変換器は太陽光を吸収して電気エネルギーに変換し、更に、該導電体及び該導電層を経て、それぞれ該第一導電層及び該第二導電層に伝導することを特徴とする太陽光発電装置。
【請求項２】
前記太陽光発電装置は、更に一つの集光カバーを含んでおり、該集光カバーは、太陽光発電装置の太陽光変換器を備える一端を包みこみ、太陽光変換器に太陽光線を集めさせることを特徴とする太陽光発電装置。
【請求項３】
前記導電体は円柱であることを特徴とする請求項１記載の太陽光発電装置。
【請求項４】
前記導電体の材質は銅であることを特徴とする請求項１記載の太陽光発電装置。
【請求項５】
前記導電層はロール圧力によって該第一絶縁層の外側に形成されることを特徴とする請求項１記載の太陽光発電装置。
【請求項６】
前記導電層の材質はアルミニウムであることを特徴とする請求項１記載の太陽光発電装置。
【考案の詳細な説明】
【技術分野】
【０００１】
本考案は、太陽光発電装置に関するものであり、特に、一つの電極が、一つの絶縁体部分によって別の一つの電極を包み込むことにより太陽光発電装置を一つのピンにするものである。
【背景技術】
【０００２】
近年来、地球の石化燃料は徐々に欠乏し、温室効果が日に日に深刻な問題となっている状況の下、汚染のないエネルギー源が人々の為に開発されて来ている。例えば、水力発電、風力発電、地熱発電や太陽光発電等である。その内、太陽光発電は、太陽光板が必要なだけである故、人々に比較的多く利用されている。しかしながら、公知の太陽光板は、組み立て時、先ずサポートフレームを地面に螺設固定し、更に、太陽光板をサポートフレームに螺設固定した後、太陽光板電極の正負を判別し、更にそれをその他の電力消費装置もしくは電力貯蓄装置に連結しなければならず、組み立て過程は非常に面倒である。組立て過程が繁雑であるのと同様に、取り外し過程もまた非常に面倒で、また、太陽光板の拡張応用にも制限がある。
【０００３】
よって、回路板への取り付けが簡単で回路板からの取り外しも簡単な太陽光発電装置をいかに作り出すかが、本考案が積極的に開示した理由である。
【考案の開示】
【考案が解決しようとする課題】
【０００４】
公知の太陽光板は、組立て過程が繁雑であるのと同様に、取り外し過程もまた非常に面倒で、拡張応用も制限されている点を解決する。
【課題を解決するための手段】
【０００５】
前述した公知の太陽光板の欠点に関して、考案人は、それが完全なものではない故に、精魂込めて専心研究をしてこの欠点を克服するべきであることを感じ、当該産業に従事し長年に渡り累積した経験に基づき、太陽光発電装置を開発した。それにより、太陽光発電装置は回路板への装着が簡単で、回路板からの取り外しも簡単にできるという目的を達成することができる。
【０００６】
本考案の主な目的は、太陽光発電装置を提供することにあり、それは、一つの電性を備えた一つの導電層が一つの絶縁層部分によって別の電性を備えた一つの長細い導電体を包むことにより、太陽光発電装置を一つのピンに変え、太陽光発電装置が回路板に簡単に装着でき、回路板から簡単に取り外せるという目的を達成させる。
【０００７】
上述目的を達成する為、一つの導電体と、一つの太陽光変換器と、一つの第一絶縁層と、一つの導電層を含む本考案の太陽光変換器の改良結構において、該導電体は、長細い形状であり、該太陽光変換器は、該導電体の一端に設け、該太陽光変換器の一つの第一電極は該端に電気接触しており、該第一絶縁層は、該導電体の該太陽光変換器に近い部分を包み込んでおり、該導電層は、該第一絶縁層を包み込み、該導電層は、該第一絶縁層によって該導電体と隔離しており、該太陽光変換器の最低一つの第二電極は該導電層と電気連結している。その内、該導電体の該第一絶縁層から露出している部分と一つの回路基板を覆っている一つの第一導電層は電気接触しており、該導電層は、該第一導電層を覆っている一つの第二絶縁層によって該第一導電層と隔離されており、該導電層と該第二絶縁層を覆っている一つの第二導電層は電気接触し、該太陽光変換器は太陽光を吸収して電気エネルギーに変換し、更に、該導電体及び該導電層を経て、それぞれ該第一導電層及び該第二導電層に伝導する。これにより、本考案の太陽光発電装置は、回路板への装着が簡単で容易に回路板から取り外しができる。
【考案の効果】
【０００８】
以上説明したように、本考案の太陽光発電装置は、回路板への装着が簡単で回路板からの取り外しも簡単であることを特徴とする。
【考案を実施するための最良の形態】
【０００９】
本考案の目的、特徴及び効果を十分に理解して戴く為に、下記の具体的実施例に添付図面を合わせて、本考案に一つの詳細説明を加える。
【００１０】
（実施例１）
図１から図３にはそれぞれ、本考案の最良実施例の分解図、組立図、及び上面図を示す。図に示すとおり、本考案の太陽光発電装置は、一つの太陽光変換器１、一つの導電体２、一つの第一絶縁層３、及び一つの導電層４を含む。導電体２は長細い形状のもので（例えば円柱）、その材質は銅とすることが可能である。太陽光変換器１は導電体２の一端に設け、太陽光変換器１の一つの第一電極１２は、該端に電気接触している。第一絶縁層３は一つの空心円柱で、導電体２外側の太陽光変換器１に近い部分に嵌設し、且つ導電体２を包み込んでいる。導電層４は、一つの空心円柱でありその材質はアルミニウムとすることが可能であり、導電層４は、第一絶縁層３外側に嵌設してそれを包み込み、並びに、導電体２と隔離している。太陽光変換器１の最低一つの第二電極１１は導電層４と電気連結している。
【００１１】
前述をまとめると、本考案の太陽光発電装置は、一つのピンになっている。
【００１２】
（実施例２）
図４には、本考案の最良の実施例２の組立図を示す。図に示すとおり、本考案の太陽光発電装置は、更に、一つの集光カバー５を含んでおり、集光カバー５は、太陽光発電装置の太陽光変換器１を備える一端を包むことにより、太陽光変換器１上に太陽光線を集め、電気エネルギーの発生を増加させており、集光カバー５はまた、太陽光変換器１が外界環境から破壊されるのを防ぐことができる。
【００１３】
図５及び図６はそれぞれ、本考案の第二最良実施例に関する回路板への装着見取図及び側面断面図である。図に示すとおり、本考案の太陽光発電装置は、電性が符合するかどうかを考慮しなくてもよく、一つのピン挿入孔６１に焦点を合わせ、直接、太陽光発電装置を回路板６に挿入する必要があるだけである。本考案の太陽光発電装置は、ピン挿入孔６１に挿入して回路板６に装着した後、導電体２の第一絶縁層３から露出している部分は回路基板６５を覆った一つの第一導電層６２と電気接触し、導電層４は、第一導電層６２を覆った一つの第二絶縁層６３によって第一導電層６２と隔離し、導電層４は、第二絶縁層６３を覆った一つの第二導電層６４と電気接触している。太陽光変換器１は、太陽光を吸収して電気エネルギーに変換し、更に導電体２及び導電層４を経てそれぞれ、第一導電層６２及び第二導電層６４に伝導され、電力を回路板６上のその他の電力消費装置（未図示）もしくは電力貯蓄装置（未図示）に提供することにより、拡張応用上に多変化をもたらすものである。また、本考案の太陽光発電装置が回路板６に挿入された後、太陽光発電装置は回路板６上に支えられるだけでなく、同時に、太陽光発電装置は回路板６と正確に電気接触させることができることから、太陽光発電装置の装着や取り外しが非常に便利である。
【００１４】
（実施例３）
図７は、本考案の実施例３に関する組立図を示す。図に示すとおり、本考案の太陽光発電装置は、製造工程の速度を加速させるものであり、その導電層４は、ロール圧力方式によって第一絶縁層３外側に作製される他、この製造工程によって、導電層４に一つの開口４１を形成する。
【００１５】
上述したとおり、本考案は、完全に実用新案の三条件である、新規性、進歩性、産業上の利用可能性に符合するものである。新規性と進歩性から言えば、本考案は、電性を持つ一つの導電層が、一つの絶縁層部分によって別の電性を備える一つの長細い導電体を包み込むことにより、太陽光発電装置を一つのピンに変化させたものであり、更に、太陽光発電装置は、回路板への装着が簡単にでき回路板からの取り外しも簡単にできる効果を達成する。産業上の利用可能性について言えば、本考案が生み出した商品によって、現在市場の要望を十分に満足させることができる。
【図面の簡単な説明】
【００１６】
【図１】本考案の実施例1に関する分解図である。
【図２】本考案の実施例1に関する組立図である。
【図３】本考案の実施例1に関する上面図である。
【図４】本考案の実施例２に関する組立図である。
【図５】本考案の実施例２を回路板に装着する見取図である。
【図６】本考案の実施例２を回路板に装着した側面断面図である。
【図７】本考案の実施例３に関する組立図である。
【符号の説明】
【００１７】
１        太陽光変換器
１１      第二電極
１２      第一電極
２        導電体
３        第一絶縁層
４        導電層
４１      開口
５        集光カバー
６        回路板
６１      ピン挿入孔
６２      第一導電層
６３      第二絶縁層
６４      第二導電層
６５      回路基板
【図１】
0003138028.tif 000003
【図２】
0003138028.tif 000004
【図３】
0003138028.tif 000005
【図４】
0003138028.tif 000006
【図５】
0003138028.tif 000007
【図６】
0003138028.tif 000008
【図７】
0003138028.tif 000009
【手続補正書】
【提出日】平成19年10月19日(2007.10.19)
【手続補正１】
【補正対象書類名】実用新案登録請求の範囲
【補正対象項目名】全文
【補正方法】変更
【補正の内容】
【実用新案登録請求の範囲】
【請求項１】
一つの導電体と、一つの太陽光変換器と、一つの第一絶縁層と、一つの導電層により構成される太陽光発電装置において、
該導電体は、長細い形状であり、
該太陽光変換器は、該導電体の一端に設け、該太陽光変換器の一つの第一電極は該端に電気接触しており、
該第一絶縁層は、該導電体の該太陽光変換器に近い部分を包み込んでおり、
該導電層は、該第一絶縁層を包み込み、該導電層は、該第一絶縁層によって該導電体と隔離しており、該太陽光変換器の最低一つの第二電極は該導電層と電気連結しており、
その内、該導電体の該第一絶縁層から露出している部分と一つの回路基板を覆っている一つの第一導電層は電気接触しており、該導電層は、該第一導電層を覆っている一つの第二絶縁層によって該第一導電層と隔離されており、該導電層と該第二絶縁層を覆っている一つの第二導電層は電気接触し、該太陽光変換器は太陽光を吸収して電気エネルギーに変換し、更に、該導電体及び該導電層を経て、それぞれ該第一導電層及び該第二導電層に伝導することを特徴とする太陽光発電装置。
【請求項２】
前記太陽光発電装置は、更に一つの集光カバーを含んでおり、該集光カバーは、太陽光発電装置の太陽光変換器を備える一端を包みこみ、太陽光変換器に太陽光線を集めさせることを特徴とする請求項１記載の太陽光発電装置。
【請求項３】
前記導電体は円柱であることを特徴とする請求項１記載の太陽光発電装置。
【請求項４】
前記導電体の材質は銅であることを特徴とする請求項１記載の太陽光発電装置。
【請求項５】
前記導電層はロール圧力によって該第一絶縁層の外側に形成されることを特徴とする請求項１記載の太陽光発電装置。
【請求項６】
前記導電層の材質はアルミニウムであることを特徴とする請求項１記載の太陽光発電装置。